(57)【要約】【課題】集塵量を確保しつつ、吸引力が持続する集塵装置を小型化でき、使い勝手のよい電気掃除機を提供する。【解決手段】上部が分離室１０、下部が集塵室１１となり、分離室１０の中心には排気筒１７が配置されたサイクロン集塵装置７において、前記分離室１０を前記集塵室１１より小さい径で形成し、前記分離室１０内壁と略同一面で形成した突出リブ２０を前記分離室１０から集塵室１１方向へ突出して設けた集塵装置７とすることにより、集塵装置７の高さ方向及び径方向の寸法を小さくしても、突出リブ２０により排気筒１７に戻る吸引風に含まれる塵埃を吸引風から分離でき、集塵室１１に溜まった塵埃が排気筒１７に吸引されるのを防止できるので、集塵量を確保しつつ、吸引力が持続する集塵装置７を小型化することができる。【選択図】図２
2011161003.tif 000002
【特許請求の範囲】
【請求項１】
略円筒状の排気筒を内部に設けた分離室の下方に集塵室を設け、前記分離室は前記集塵室より小さい径で形成し、前記分離室を形成する外壁の内面と略同一面で形成した突出リブを前記分離室の下方から集塵室方向へ突出して設けたサイクロン式集塵装置。
【請求項２】
集塵室に溜まった塵埃が排気筒へ吸引されるのを防止するカップ状の舞戻り防止リブを排気筒下部に設け、突出リブの下端と前記舞戻り防止リブの下端の高さ位置をほぼ同一に形成したことを特徴とする請求項１に記載のサイクロン式集塵装置。
【請求項３】
舞戻り防止リブに複数の貫通孔を設けたことを特徴とする請求項１又は２に記載のサイクロン式集塵装置。
【請求項４】
突出リブの内壁に略螺旋状に形成した突出螺旋リブを設けたことを特徴とする請求項１〜３のいずれか１項に記載のサイクロン式集塵装置。
【請求項５】
集塵室の内壁に略螺旋状に形成した集塵螺旋リブを設けたことを特徴とする請求項１〜４のいずれか１項に記載のサイクロン式集塵装置。
【請求項６】
集塵室の形状を、横断面がトラック状の形をした筒状に形成し、その短手方向は分離室と同じ大きさにしたことを特徴とする請求項１〜５のいずれか１項に記載のサイクロン式集塵装置。
【請求項７】
請求項１〜６に記載のサイクロン式集塵装置を備えた電気掃除機。
【発明の詳細な説明】
【技術分野】
【０００１】
本発明は、電気掃除機本体に装着される集塵装置及びその集塵装置を備えた電気掃除機に関するものである。
【背景技術】
【０００２】
近年のサイクロン式掃除機の集塵装置は、塵埃を吸引する導入口を備え、質量や体積が比較的大きい塵埃を捕塵するダストカップと、上部に微細な塵埃を捕塵するフィルタを備え、前記ダストカップ内部の中央に排気筒を設け、前記排気筒には前記ダストカップに捕塵された塵埃が再び排気筒に吸引されるのを防止する為の仕切り部やリブ等が設けられている（例えば、特許文献１参照）。
【先行技術文献】
【特許文献】
【０００３】
【特許文献１】特開２００９−１１２５０６号公報
【発明の概要】
【発明が解決しようとする課題】
【０００４】
しかしながら前記従来の構成では、ダストカップに捕塵された塵埃が再び排気筒に吸引されるのを防止する為に、排気筒が複雑な形状をしていると共に、集塵量の確保と吸引力の持続の為に、遠心分離させるための分離室と塵埃を溜める集塵室を高さ方向及び径方向を大きく形成した構成としているので、集塵装置及び電気掃除機本体が大型化してしまい使い勝手が悪いという課題を有していた。また、集塵装置を小型化する為に従来構成のまま相似的に小さくすると、塵埃の分離効率が低下し、排気筒にて早期に目詰まりが発生し、少ない集塵量で吸引力が低下してしまうという課題も有していた。
【０００５】
本発明は、前記従来の課題を解決するもので、集塵量を確保しつつ、吸引力が持続する集塵装置を小型化でき、使い勝手のよい電気掃除機を提供することを目的とする。
【課題を解決するための手段】
【０００６】
前記従来の課題を解決するために、本発明のサイクロン式集塵装置、略円筒状の排気筒を内部に設けた分離室の下方に集塵室を設け、前記分離室は前記集塵室より小さい径で形成し、前記分離室を形成する外壁の内面と略同一面で形成した突出リブを前記分離室の下方から集塵室方向へ突出して設けたものである。
【０００７】
これによって、集塵装置の高さ方向及び径方向の寸法を小さくしても、突出リブにより排気筒に戻る吸引風に含まれる塵埃を吸引風から分離でき、集塵室に溜まった塵埃が排気筒に吸引されるのを防止できるので、集塵量を確保しつつ、吸引力が持続する集塵装置を小型化することができる。
【発明の効果】
【０００８】
本発明の電気掃除機は、集塵量を確保しつつ、吸引力が持続する集塵装置を小型化することができる。
【図面の簡単な説明】
【０００９】
【図１】本発明の形態１における電気掃除機の全体斜視図
【図２】同電気掃除機本体に収納される集塵装置の要部断面斜視図
【図３】同電気掃除機本体に収納される集塵装置の要部断面図
【図４】同電気掃除機本体に収納される集塵装置の中央断面図
【図５】図４の集塵装置の蓋部を取り外した状態で、下方から見た図
【発明を実施するための形態】
【００１０】
第１の発明は、略円筒状の排気筒を内部に設けた分離室の下方に集塵室を設け、前記分離室は前記集塵室より小さい径で形成し、前記分離室を形成する外壁の内面と略同一面で形成した突出リブを前記分離室の下方から集塵室方向へ突出して設けたものである。これにより、集塵装置の高さ方向及び径方向の寸法を小さくしても、突出リブにより排気筒に戻る吸引風に含まれる塵埃を吸引風から分離でき、集塵室に溜まった塵埃が排気筒に吸引されるのを防止できるので、集塵量を確保しつつ、吸引力が持続する集塵装置を小型化することができる。
【００１１】
第２の発明は、特に、第１の発明の集塵装置を集塵室に溜まった塵埃が排気筒へ吸引されるのを防止する舞戻り防止リブを排気筒下部に設け、突出リブ下端と前記舞戻り防止リブ下端の高さ位置をほぼ同一に形成した構成とすることにより、突出リブ及び舞戻り防止リブにより排気筒に戻る吸引風に含まれる塵埃を吸引風から分離でき、集塵室に溜まった塵埃が排気筒に吸引されるのを防止できるので、集塵量を確保しつつ、吸引力を持続させることができる。
【００１２】
第３の発明は、特に、第１又は第２の発明の集塵装置を舞戻り防止リブに複数の貫通孔を設けた構成とすることにより、貫通孔を介して舞戻り防止リブの内側から外側へ向かう風の流れを発生させ、集積室に溜まった塵埃を舞戻り防止リブ内部で分離可能となり、集塵室に溜まった塵埃が排気筒に吸引されるのを防止できるので、集塵量を確保しつつ、吸引力を持続させることができる。
【００１３】
第４の発明は、特に、第１〜３のいずれか１つの発明の集塵装置を突出リブの内壁に略螺旋状に形成した突出螺旋リブを設けた構成とすることにより、吸引された塵埃が突出螺旋リブに沿って効率的に集塵室に導かれるので、塵埃の分離をより効率的に行うことができると共に、突出螺旋リブにより排気筒に戻る吸引風に含まれる塵埃を吸引風から分離でき、集塵室に溜まった塵埃が排気筒に吸引されるのを防止できるので、集塵量を確保しつつ、吸引力を持続させることができる。
【００１４】
第５の発明は、特に、第１〜４のいずれか１つの発明の集塵装置を集塵室の内壁に略螺旋状に形成した集塵螺旋リブを設けた構成とすることにより、吸引された塵埃が集塵螺旋リブに沿って集塵室底面に導かれるようになり、綿ゴミ等の比較的体積が大きな塵埃が集塵室底面から溜まっていき、同時に圧縮されるのでゴミ捨て時のゴミの舞い上がりを防止することができると共に、集塵螺旋リブにより排気筒に戻る吸引風に含まれる塵埃を吸引風から分離でき、集塵室に溜まった塵埃が排気筒に吸引されるのを防止できるので、集塵量を確保しつつ、吸引力を持続させることができる。
【００１５】
第６の発明は、特に、第１〜５のいずれか１つの発明の集塵装置を集塵室を略トラック円筒状で形成し、その短手方向は分離室と同じ大きさにした構成とすることにより、集塵装置の前後長を短くすることができ、集塵量を確保しつつ、吸引力が持続する集塵装置をさらに小型化することができる。
【００１６】
第７の発明は、特に、第１〜６のいずれか１つの発明の集塵装置を備えた電気掃除機とすることにより、電気掃除機本体も小型化することができ、使い勝手のよい電気掃除機を提供することができる。
【００１７】
以下、本発明の実施の形態について、図面を参照しながら説明する。なお、この実施の
形態によってこの発明が限定されるものではない。
【００１８】
（実施の形態１）
本発明の第１の実施の形態における集塵装置を用いた電気掃除機について、図１〜５を用いて説明する。本実施の形態における集塵装置を用いた電気掃除機は、図１に示すように、電気掃除機本体１と、前記電気掃除機本体１の前方に設けた吸入口に接続されるホース２と、前記ホース２の先端に設けられた接続パイプ３と、前記接続パイプ３に接続される延長管４と、延長管４の先端に設けられ塵埃を吸引する開口部（図示せず）を有する吸込具５からなり、前記電気掃除機本体１には、塵埃を吸引する為の吸引風を発生させる電動送風機６、塵埃を集塵する集塵装置７が内蔵されている。
【００１９】
図２〜５に示すように、前記集塵装置７は、集塵ケース８とカバー体９とで外郭を形成し、前記集塵ケース８は上部に塵埃を含む空気から塵埃を分離する分離室１０と下部に塵埃を蓄積する集塵室１１からなり、前記集塵ケース８の上部には吸込具５と連通する吸気口１２を、内部中央には、塵埃を含む空気から塵埃を分離する上流フィルター１３を設け、前記カバー体９の後方には、前記上流フィルター１３を通過した微細な塵埃を捕集する下流フィルター１４を備え、前記集塵ケース８及び前記カバー体９の下面には、蓄積した塵埃を排出する時に開放する蓋部１５が前記カバー体９に回動自在に軸支されている。
【００２０】
前記上流フィルター１３は、塵埃が分離された空気を吸引する複数の開口部１６を有する排気筒１７と、前記排気筒１７の下方には、遠心分離された塵埃が前記排気筒１７に吸引されるのを防止する舞戻り防止リブ１８とで形成している。前記舞戻り防止リブ１８には、前記集塵室１１を介して前記排気筒１７へ流入する空気が通過する貫通孔１９を複数形成している。また、前記分離室１０は前記集塵室１１より小さい径で略円筒状に形成し、前記集塵室１１はトラック型状の筒状でその短手方向が前記分離室１０と同じ大きさになるように形成している。
【００２１】
さらに、前記集塵ケース８は、前記分離室１０の内壁と略同一面で形成した突出リブ２０を前記分離室１０から前記集塵室１１方向へ突出して設け、前記突出リブ２０の下端と前記舞戻り防止リブ１８の下端の高さ位置をほぼ同一に形成し、前記突出リブ２０及び前記集塵室１１の内壁には、前記吸気口１２から吸引した空気の流れに沿うように略螺旋状にそれぞれ突出螺旋リブ２１、集塵螺旋リブ２２を形成している。
【００２２】
以上のように構成された電気掃除機について、以下その動作、作用を説明する。図３、４に示すように電動送風機６を運転することにより発生した吸引風は、塵埃を含みながら吸気口１２から分離室１０に流入し旋回流となり、排気筒１７によって塵埃が遠心分離され、突出リブ２０に形成した突出螺旋リブ２１及び集塵室１１に形成した集塵螺旋リブ２２に沿って空気から分離されながら集塵室１１底面に蓄積する。この時、綿ゴミ等の比較的体積が大きな塵埃は蓋部１５と集塵螺旋リブ２２下面との間で順次圧縮されながら蓄積する。
【００２３】
また、集塵室１１に蓄積した塵埃は空気の流れにより分離室１０側へ舞い戻る流れとなり、舞い戻る空気の集塵室１１内壁周辺の流れは突出リブ２０に沿って分離室１０へ向かって流れる為、空気の流れによって舞い上がった塵埃は突出リブ２０や突出螺旋リブ２１に衝突し空気と分離される。さらに舞い戻る空気の集塵室１１中央部は、舞戻り防止リブ１８に設けた貫通孔１９を通して舞戻り防止リブ１８の内側から外側へ向かって流れる為、空気の流れによって舞い上がった塵埃は前記舞戻り防止リブ１８内で空気と分離される。
【００２４】
一方、分離室１０にて分離されず前記排気筒１７を通過した微細な塵埃は下流フィルタ
ー１４にて捕集され、清潔な空気のみが電動送風機６を通過して電気掃除機本体１の外へ排出される。
【００２５】
以上のように、本実施の形態においては、分離室１０を集塵室１１より小さい径で略円筒状に形成すると共に、集塵室１１を略トラック筒状でその短手方向が分離室１０と同じ大きさになるように形成した集塵ケース８に、貫通孔１９を形成した舞戻り防止リブ１８と突出リブ２０のそれぞれの下端の高さ位置をほぼ同一に形成して、突出螺旋リブ２１及び集塵螺旋リブ２２を形成して構成した集塵装置７とすることにより、集塵装置７の高さ方向及び径方向の寸法を小さくしても、突出リブ２０及び舞戻り防止リブ１８、突出螺旋リブ２１、集塵螺旋リブ２２により排気筒１７に戻る吸引風に含まれる塵埃を吸引風から分離できると共に、舞戻り防止リブ１８に設けた貫通孔１９を介して舞戻り防止リブ１８の内側から外側へ向かう風の流れを発生させ、集塵室１１に溜まった塵埃を舞戻り防止リブ１８内部で分離できるので、集塵室１１に溜まった塵埃が排気筒１７に吸引されるのを防止でき、集塵量を確保しつつ、吸引力が持続する集塵装置７を小型化することができる。
【００２６】
また、突出リブ２０の内壁に吸気口１２から吸引した空気の流れに沿うような略螺旋状の突出螺旋リブ２１を形成することにより、吸引された塵埃が突出螺旋リブ２１に沿って効率的に集塵室１１に導かれるので、塵埃の分離をより効率的に行うこともできる。
【００２７】
さらに、集塵室１１の内壁に吸気口１２から吸引した空気の流れに沿うような略螺旋状の集塵螺旋リブ２２を形成することにより、吸引された塵埃が集塵螺旋リブ２２に沿って集塵室１１底面に導かれるようになり、綿ゴミ等の体積が大きな塵埃が集塵室１１底面から溜まっていき、同時に圧縮されるのでゴミ捨て時のゴミの舞い上がりを防止することもできる。
【産業上の利用可能性】
【００２８】
以上のように、本発明にかかる電気掃除機は、集塵量を確保しつつ、吸引力が持続する集塵装置の小型化が可能となるので、着脱自在の集塵装置を有する家庭用、業務用電気掃除機等の用途にも適用できる。
【符号の説明】
【００２９】
７  集塵装置
１０  分離室
１１  集塵室
１７  排気筒
１８  舞戻り防止リブ
１９  貫通孔
２０  突出リブ
２１  突出螺旋リブ
２２  集塵螺旋リブ
【図１】
2011161003.tif 000003
【図２】
2011161003.tif 000004
【図３】
2011161003.tif 000005
【図４】
2011161003.tif 000006
【図５】
2011161003.tif 000007